(57)【要約】      （修正有）【課題】ユーザを睡眠状態へ誘導できる表示装置を提供する。【解決手段】表示装置１０は、映像信号を取得し、映像信号に時間変調及び空間変調の少なくとも一方を施した変調信号を生成する変調器２０と、変調信号に基づいて画像を表示する表示パネル３０とを備える。時間変調の場合は、１０Ｈｚ以下の周波数で画像全体の輝度が時間的に繰り返し変動し、空間変調の場合は画像の中央からの距離に応じて同心円状に輝度変調が施され、これによりリラクゼーション効果が得られ、ユーザは表示パネル３０の画面を見ているだけで、睡眠状態に誘導される。【選択図】図１
2020126121.tif 000002
【特許請求の範囲】
【請求項１】
映像信号を取得し、前記映像信号に時間変調及び空間変調の少なくとも一方を施した変調信号を生成する変調器と、
前記変調信号に基づいて画像を表示する表示パネルとを備える
表示装置。
【請求項２】
前記時間変調は、１以上の周波数成分を含み、
前記１以上の周波数成分の少なくとも一部の周波数は、１０Ｈｚ以下である
請求項１に記載の表示装置。
【請求項３】
前記変調器は、さらに、前記変調信号が示す輝度を時間的に漸減させる
請求項１又は２に記載の表示装置。
【請求項４】
前記変調器は、予め設定したフェードアウトタイムにおいて、前記表示パネルに入力される映像の階調信号が最大の場合に、前記変調信号が示す輝度を前記表示パネルの最大輝度の１０％未満となるように時間的に漸減させる
請求項３に記載の表示装置。
【請求項５】
前記時間変調は、複数の周波数成分を含み、
前記複数の周波数成分の振幅は、周波数が増大するにしたがって減少する
請求項１〜４のいずれか１項に記載の表示装置。
【請求項６】
前記空間変調は、複数の周期成分を含み、
前記複数の周期成分の振幅は、周期が増大するにしたがって増大する
請求項１〜５のいずれか１項に記載の表示装置。
【請求項７】
前記表示パネルは、有機ＥＬ（Ｅｌｅｃｔｒｏ−Ｌｕｍｉｎｅｓｃｅｎｃｅ）表示パネルである
請求項１〜６のいずれか１項に記載の表示装置。
【請求項８】
映像信号を取得するステップと、
前記映像信号に時間変調及び空間変調の少なくとも一方を施した変調信号を生成するステップと、
前記変調信号に基づいて画像を表示するステップとを含む
表示方法。
【請求項９】
請求項８に記載の表示方法をコンピュータに実行させるためのプログラム。
【発明の詳細な説明】
【技術分野】
【０００１】
本開示は、表示装置、表示方法及びプログラムに関する。
【背景技術】
【０００２】
従来、液晶表示装置などの薄型の表示装置が知られている。このような表示装置を、入眠前に、寝具に横たわった状態で使用することが求められている。横たわった状態で表示装置を使用するための装置として、例えば、特許文献１には、表示装置を天井などの造営材に吊設する吊設装置が開示されている。
【０００３】
特許文献１に開示された吊設装置は、天井に吊設される本体部と、表示装置に取り付けられる取付部材とを備える。特許文献１に開示された吊設装置では、本体部と取付部材とを他の構成部材とともに接続することで、表示装置を天井に設置しようとしている。
【先行技術文献】
【特許文献】
【０００４】
【特許文献１】特開２００９−９３０２９号公報
【発明の概要】
【発明が解決しようとする課題】
【０００５】
特許文献１に開示されたような吊設装置によって表示装置を天井に吊設することで、例えば、入眠前に寝具に仰向けに横たわりながら表示装置を見ることができる。しかしながら、ユーザは、表示装置を見続けることで、光による刺激を継続的に受ける。このため、ユーザの入眠が妨げられる場合がある。
【０００６】
本開示は、上記の課題に鑑みてなされたものであり、ユーザを睡眠状態へ誘導できる表示装置などを提供することを目的とする。
【課題を解決するための手段】
【０００７】
上記目的を達成するために、本開示の一態様に係る表示装置は、映像信号を取得し、前記映像信号に時間変調及び空間変調の少なくとも一方を施した変調信号を生成する変調器と、前記変調信号に基づいて画像を表示する表示パネルとを備える。
【０００８】
また、上記目的を達成するために、本開示の一態様に係る表示方法は、映像信号を取得するステップと、前記映像信号に時間変調及び空間変調の少なくとも一方を施した変調信号を生成するステップと、前記変調信号に基づいて画像を表示するステップとを含む。
【０００９】
また、上記目的を達成するために、本開示の一態様に係るプログラムは、上記表示方法をコンピュータに実行させるためのプログラムである。
【発明の効果】
【００１０】
本開示によれば、ユーザを睡眠状態へ誘導できる表示装置などを提供できる。
【図面の簡単な説明】
【００１１】
【図１】図１は、実施の形態に係る表示装置の機能構成を示す機能ブロック図である。
【図２】図２は、実施の形態に係る変調器の時間変調動作例を説明する図である。
【図３】図３は、実施の形態に係る変調器の空間変調動作例を説明する図である。
【図４】図４は、実施の形態に係る変調器の時間及び空間変調動作例を説明する図である。
【図５】図５は、実施の形態の変形例１に係る合成波状の波形を有する時間変調及び空間変調が施された輝度を示す模式的なグラフである。
【図６】図６は、実施の形態の変形例１に係る時間変調に含まれる各周波数成分とその振幅との関係を示すグラフである。
【図７】図７は、実施の形態の変形例２に係る時間変調が施された輝度の時間波形を示す模式的なグラフである。
【図８】図８は、実施の形態に係る表示方法を示すフローチャートである。
【発明を実施するための形態】
【００１２】
以下、本開示の実施の形態について、図面を用いて説明する。なお、以下に説明する実施の形態は、いずれも本開示における一具体例を示すものである。したがって、以下の実施の形態で示される、数値、形状、材料、構成要素、構成要素の配置位置及び接続形態、工程、並びに、工程の順序などは、一例であって本開示を限定する主旨ではない。よって、以下の実施の形態における構成要素のうち、本開示における最上位概念を示す独立請求項に記載されていない構成要素については、任意の構成要素として説明される。
【００１３】
なお、各図は、模式図であり、必ずしも厳密に図示されたものではない。また、各図において、実質的に同一の構成に対しては同一の符号を付しており、重複する説明は省略又は簡略化する。
【００１４】
（実施の形態）
［１．表示装置の全体構成］
まず、実施の形態に係る表示装置の全体構成について図１を用いて説明する。図１は、本実施の形態に係る表示装置１０の機能構成を示す機能ブロック図である。
【００１５】
図１に示されるように、表示装置１０は、機能的には、変調器２０と、表示パネル３０とを備える。なお、図１には、表示装置１０のうち、本実施の形態に係る変調器２０及び表示パネル３０だけが示されているが、表示装置１０は、他の機能部を備えてもよい。
【００１６】
変調器２０は、映像信号を取得し、映像信号に時間変調及び空間変調の少なくとも一方を施した変調信号を生成する。映像信号は、例えば、表示装置１０の内部に記憶されていてもよいし、表示装置１０の外部から入力されてもよい。変調器２０は、取得した映像信号の輝度及び色度の少なくとも一方に対して変調を施す。本実施の形態では、変調器２０は、生成した変調信号を表示パネル３０に出力する。変調器２０の詳細な動作内容については、後で詳述する。
【００１７】
表示パネル３０は、変調器２０が生成した変調信号に基づいて画像を表示するパネルである。表示パネル３０は、マトリクス状に配置された複数の画素を有する。本実施の形態では、表示パネル３０は、有機ＥＬ（Ｅｌｅｃｔｒｏ−Ｌｕｍｉｎｅｓｃｅｎｃｅ）表示パネルである。なお、表示パネル３０の構成は、変調信号に基づいて画像を表示できれば特に限定されない。表示パネル３０は、例えば、液晶表示パネルなどであってもよい。
【００１８】
［２．変調動作］
次に、変調器２０における変調動作例について説明する。
【００１９】
［２−１．時間変調］
本実施の形態に係る変調器２０による映像信号の時間変調について、図２を用いて説明する。図２は、本実施の形態に係る変調器２０の時間変調動作例を説明する図である。
【００２０】
図２に示されるように、１フレーム目の画像に対応する映像信号から、Ｘフレーム目（Ｘは２以上の整数）の画像に対応する映像信号までが、順に変調器２０に入力される。図２には、１フレーム目からＸフレーム目までの映像信号に対応する画像の模式図が左側に示されている。変調器２０は、取得した映像信号に、例えば、変調係数ｋ（ｔ）を乗じることによって、変調信号を生成する。なお、ここで、変調係数ｋ（ｔ）において、ｔは時間を表す。図２には、１フレーム目からＸフレーム目までの変調信号に対応する画像の模式図が右側に示されている。
【００２１】
図２に示される例では、変調器２０は、映像信号の輝度に対して正弦波状の波形を有する時間変調を施す。つまり、時間変調は、単一の周波数成分（言い換えると、周期成分）を含む。これにより、図２の右側の各フレームの画像に示されるように、画像全体の輝度が時間的に繰り返し変動する。
【００２２】
例えば、映像信号としてＷｅｂサイトの画面を示す信号が変調器２０に入力される場合、表示パネル３０には、Ｗｅｂサイトの画面が表示され、かつ、その画面の輝度が時間的に変調される。これにより、ユーザは表示パネル３０の画面を見ているだけで、睡眠状態に誘導される。ここで、ユーザが映像信号に対する時間変調を認識しにくくすることで、ユーザが感じる違和感を抑制できる。例えば、４ｂｉｔ以上の階調で輝度を制御することにより、滑らかな変調を実現できるため、ユーザが映像信号に対する時間変調を認識しにくくなる。
【００２３】
また、時間変調の周波数は、１０Ｈｚ以下であってもよい。これにより、表示装置１０によるリラクゼーション効果を高めることができるため、睡眠誘導効果を高めることができる。
【００２４】
［２−２．空間変調］
本実施の形態に係る変調器２０による映像信号の空間変調について、図３を用いて説明する。図３は、本実施の形態に係る変調器２０の空間変調動作例を説明する図である。
【００２５】
図３に示されるように、１フレーム目の画像に対応する映像信号から、Ｘフレーム目の画像に対応する映像信号までが、順に変調器２０に入力される。変調器２０は、取得した映像信号に、例えば、変調係数ｋ（ｘ，ｙ）を乗じることによって、変調信号を生成する。なお、ここで、変調係数ｋ（ｘ，ｙ）において、ｘは画像の水平方向の位置を表し、ｙは画像の垂直方向の位置を表す。図３には、図２と同様に、１フレーム目からＸフレーム目までの映像信号及び変調信号に対応する画像の模式図が、それぞれ、左側及び右側に示されている。
【００２６】
図３に示される例では、変調器２０は、映像信号の輝度に対して正弦波状の波形を有する空間変調を施す。つまり、空間変調は、単一の周期成分を含む。具体的には、例えば、画像の中央からの距離に応じて映像信号の輝度に対して正弦波状の波形を有する空間変調を施す。これにより、図３の右側の各フレームの画像に示されるように、画像に同心円状に輝度変調が施される。
【００２７】
例えば、映像信号としてＷｅｂサイトの画面を示す信号が変調器２０に入力される場合、表示パネル３０には、Ｗｅｂサイトの画面が表示され、かつ、その画面の輝度が空間的に変調される。これにより、ユーザは表示パネル３０の画面を見ているだけで、睡眠状態に誘導される。本動作例においても、時間変調を施す場合と同様に、ユーザが映像信号に対する空間変調を認識しにくくすることで、ユーザが感じる違和感を抑制できる。例えば、４ｂｉｔ以上の階調で輝度を制御することにより、滑らかな変調を実現できるため、ユーザが映像信号に対する空間変調を認識しにくくなる。
【００２８】
［２−３．時間及び空間変調］
本実施の形態に係る変調器２０による映像信号の時間及び空間変調について、図４を用いて説明する。図４は、本実施の形態に係る変調器２０の時間及び空間変調動作例を説明する図である。
【００２９】
図４に示されるように、１フレーム目の画像に対応する映像信号から、Ｘフレーム目の画像に対応する映像信号までが、順に変調器２０に入力される。変調器２０は、取得した映像信号に、例えば、変調係数ｋ（ｔ，ｘ，ｙ）を乗じることによって、変調信号を生成する。図４には、図２及び図３と同様に、１フレーム目からＸフレーム目までの映像信号及び変調信号に対応する画像の模式図が、それぞれ、左側及び右側に示されている。
【００３０】
図４に示される例では、変調器２０は、映像信号の輝度に対して正弦波状の波形を有する時間変調及び空間変調を施す。具体的には、例えば、画像の輝度に対して正弦波状の波形を有する時間変調を施し、かつ、画像の中央からの距離に応じて映像信号の輝度に対して正弦波状の波形を有する空間変調を施す。これにより、図４の右側の各フレームの画像に示されるように、画像に同心円状に輝度の変調が施され、かつ、画像全体の輝度が時間的に変調される。
【００３１】
例えば、映像信号としてＷｅｂサイトの画面を示す信号が変調器２０に入力される場合、表示パネル３０には、Ｗｅｂサイトの画面が表示され、かつ、その画面の輝度が時間的及び空間的に変調される。これにより、ユーザは表示パネル３０の画面を見ているだけで、睡眠状態に誘導される。本動作例においても、時間変調のみを施す場合と同様に、ユーザが映像信号に対する時間変調及び空間変調を認識しにくくすることで、ユーザが感じる違和感を抑制できる。例えば、４ｂｉｔ以上の階調で輝度を制御することにより、滑らかな変調を実現できるため、ユーザが映像信号に対する時間変調及び空間変調を認識しにくくなる。
【００３２】
また、本動作例においても時間変調の周波数は、１０Ｈｚ以下であってもよい。これにより、表示装置１０によるリラクゼーション効果を高めることができるため、睡眠誘導効果を高めることができる。
【００３３】
［３．変形例］
次に、上述した変調動作の変形例について説明する。
【００３４】
［３−１．変形例１］
上記動作例においては、時間変調及び空間変調として正弦波状の波形を有する変調を施す例を示したが、時間変調及び空間変調は、正弦波状の波形を有する変調に限定されない。例えば、時間変調及び空間変調は複数の正弦波などの合成波状の波形を有する変調であってもよい。以下、時間変調及び空間変調として合成波状の波形を有する変調を施す例について図５を用いて説明する。
【００３５】
図５は、本変形例に係る合成波状の波形を有する時間変調及び空間変調が施された輝度（つまり、変調信号が示す輝度）を示す模式的なグラフである。図５の横軸は、時間ｔ、画像の水平方向の位置ｘ、又は、画像の垂直方向の位置ｙを示し、縦軸は、輝度を示す。なお、図５には、破線の矢印で、変調の周期が示されている。図５に示されるように、映像信号に合成波状の波形を有する時間変調及び空間変調を施すことで、変調後の輝度（変調信号が示す輝度）の波形も、合成波状の形状となる。
【００３６】
図５に示されるような時間変調、つまり、複数の周波数成分を含む時間変調を施す場合にも、正弦波状の波形を有する時間変調を施す場合と同様の効果が奏される。また、図５に示されるような空間変調、つまり、複数の周期成分を含む空間変調を施す場合にも、正弦波状の波形を有する空間変調を施す場合と同様の効果が奏される。
【００３７】
また、時間変調が、複数の周波数成分を含む場合に、複数の周波数成分の少なくとも一部の周波数は、１０Ｈｚ以下であってもよい。これにより、表示装置１０によるリラクゼーション効果を高めることができるため、睡眠誘導効果を高めることができる。
【００３８】
また、時間変調に含まれる複数の周波数成分の振幅は、周波数が増大するにしたがって減少してもよい。このような時間変調について、図６を用いて説明する。図６は、本変形例１に係る時間変調に含まれる各周波数成分とその振幅との関係を示すグラフである。図６に示されるように、時間変調に含まれる複数の周波数成分の振幅は、周波数が増大するにしたがって、減少してもよい。これにより、表示装置１０が表示する画像において、時間的に１／ｆゆらぎを実現できるため、表示装置１０によるリラクゼーション効果を高めることができる。
【００３９】
なお、時間変調に含まれる複数の周波数成分の振幅が、周波数が増大するにしたがって、減少するとは、複数の周波数成分の振幅が、周波数が増大するにしたがって、厳密に単調減少する構成だけに限定されない。例えば、図６に示されるように、微視的には、複数の周波数成分の振幅が、周波数が増大するにしたがって増大する周波数帯域があり、かつ、巨視的には、複数の周波数成分の振幅が、周波数が増大するにしたがって減少する構成も含まれる。言い換えると、周波数に対する複数の周波数成分の振幅を表すグラフの包絡線（図６に示される破線）が、周波数が増大するにしたがって減少する構成も含まれる。
【００４０】
また、空間変調についても時間変調と同様に、複数の周期成分を含み、複数の周期成分の振幅は、周期が増大するにしたがって増大してもよい。これにより、表示装置１０が表示する画像において、空間的に１／ｆゆらぎを実現できるため、表示装置１０によるリラクゼーション効果を高めることができる。なお、複数の周期成分の振幅が、周期が増大するにしたがって増大するとは、複数の周期成分の振幅が、周期が増大するにしたがって、厳密に単調増加する構成だけに限定されない。例えば、微視的には、複数の周期成分の振幅が、周期が増大するにしたがって減少する周期帯域があり、かつ、巨視的には、複数の周期成分の振幅が、周期が増大するにしたがって増大する構成も含まれる。言い換えると、周期に対する複数の周期成分の振幅を表すグラフの包絡線が、周期が増大するにしたがって増大する構成も含まれる。
【００４１】
［３−２．変形例２］
変調器２０は、以上で述べたような変調を施すだけでなく、さらに、画像の輝度を時間的に漸減させてもよい。このような動作例について、図７を用いて説明する。図７は、本変形例に係る時間変調が施された輝度（つまり、変調信号が示す輝度）の時間波形を示す模式的なグラフである。図７の横軸は時間ｔを表し、縦軸は輝度を表す。
【００４２】
図７に示されるように、本変形例においては、変調器２０は、変調信号が示す輝度を時間的に漸減させる。つまり、変調器２０は、画像をフェードアウトさせる。具体的には、変調器２０は、映像信号に上述した変調係数ｋ（ｔ）だけでなく、さらに、時間に対する単調減少関数からなる変調係数ｈ（ｔ）も乗じる。
【００４３】
すなわち、変調器２０は、表示パネル３０に入力される映像の階調信号が最大の場合に、所定の初期設定値から輝度が漸減させるようにガンマ特性を時間的に変化させる制御を行う。変調器２０は、例えば、画像の輝度を、映像信号が示す輝度の１００％から０％まで、５分以上の時間をかけて、漸減させてもよい。これにより、表示装置１０による睡眠誘導効果をより一層高めることができる。変調器２０は、例えば、予め設定したフェードアウトタイムにおいて、表示パネル３０に入力される映像の階調信号が最大の場合に、変調信号が示す輝度を最大輝度の１０％未満となるように時間的に漸減させる。変調器２０は、ガンマ特性を制御することで、変調信号が示す輝度を制御する。
【００４４】
また、このような変調器２０の動作は、表示パネル３０として有機ＥＬ表示パネルを用いる場合に特に効果的である。例えば、表示装置１０を暗所で用いる場合、表示パネル３０として有機ＥＬ表示パネルを用いることで、液晶表示パネルなどを用いる場合より、より高いコントラストで鮮明に画像を表示できる。また、表示パネル３０として自発光型量子ドットＬＥＤ表示パネル、又は他の表示デバイスを用いてもよい。
【００４５】
［４．表示方法］
次に、本実施の形態に係る表示方法について、図８を用いて説明する。図８は、本実施の形態に係る表示方法を示すフローチャートである。
【００４６】
まず、図８に示されるように、変調器２０は、映像信号を取得する（Ｓ１０）。
【００４７】
続いて、変調器２０は、映像信号に時間変調及び空間変調の少なくとも一方を施した変調信号を生成する（Ｓ２０）。なお、ここで、上述したように、時間変調が含む１以上の周波数成分の少なくとも一部の周波数は、１０Ｈｚ以下であってもよい。また、時間変調は、複数の周波数成分を含み、複数の周波数成分の振幅は、周波数が増大するにしたがって減少してもよい。また、空間変調は、複数の周期成分を含み、複数の周期成分の振幅は、周期が増大するにしたがって増大してもよい。また、変調器２０は、さらに、変調信号が示す輝度を時間的に漸減させてもよい。
【００４８】
続いて、表示パネル３０は、変調信号に基づいて画像を表示する（Ｓ３０）。
【００４９】
このように画像を時間的又は空間的に変調して表示することによって、ユーザを睡眠状態へ誘導できる。
【００５０】
［５．効果など］
以上のように、本実施の形態に係る表示装置１０は、映像信号を取得し、映像信号に時間変調及び空間変調の少なくとも一方を施した変調信号を生成する変調器２０と、変調信号に基づいて画像を表示する表示パネル３０とを備える。
【００５１】
このように画像を時間的又は空間的に変調して表示することによって、ユーザを睡眠状態へ誘導できる。
【００５２】
また、表示装置１０において、時間変調は、１以上の周波数成分を含み、１以上の周波数成分の少なくとも一部の周波数は、１０Ｈｚ以下であってもよい。
【００５３】
これにより、表示装置１０によるリラクゼーション効果を高めることができるため、睡眠誘導効果を高めることができる。
【００５４】
また、表示装置１０において、変調器２０は、さらに、変調信号が示す輝度を時間的に漸減させてもよい。
【００５５】
これにより、表示装置１０による睡眠誘導効果をより一層高めることができる。
【００５６】
また、表示装置１０において、時間変調は、複数の周波数成分を含み、複数の周波数成分の振幅は、周波数が増大するにしたがって減少してもよい。
【００５７】
これにより、表示装置１０が表示する画像において、時間的に１／ｆゆらぎを実現できるため、表示装置１０によるリラクゼーション効果を高めることができる。
【００５８】
また、表示装置１０において、空間変調は、複数の周期成分を含み、複数の周期成分の振幅は、周期が増大するにしたがって増大してもよい。
【００５９】
これにより、表示装置１０が表示する画像において、空間的に１／ｆゆらぎを実現できるため、表示装置１０によるリラクゼーション効果を高めることができる。
【００６０】
また、表示装置１０において、表示パネル３０は、有機ＥＬ表示パネルであってもよい。
【００６１】
また、本実施の形態に係る表示方法において、映像信号を取得するステップと、映像信号に時間変調及び空間変調の少なくとも一方を施した変調信号を生成するステップと、変調信号に基づいて画像を表示するステップとを含む。
【００６２】
このように画像を時間的又は空間的に変調して表示することによって、ユーザを睡眠状態へ誘導できる。
【００６３】
（その他の実施の形態）
以上、本開示に係る表示装置などについて、実施の形態に基づいて説明したが、本開示に係る表示装置などは、上記実施の形態に限定されるものではない。実施の形態における任意の構成要素を組み合わせて実現される別の実施の形態や、実施の形態に対して本開示の主旨を逸脱しない範囲で当業者が思いつく各種変形を施して得られる変形例や、本実施の形態に係る表示装置などを内蔵した各種機器も本開示に含まれる。
【００６４】
例えば、上記実施の形態では、映像信号の輝度に対して、時間変調及び空間変調の少なくとも一方を施す例を示したが、映像信号の色度に対して、時間変調及び空間変調の少なくとも一方を施してもよい。つまり、映像信号の輝度及び色度の少なくとも一方に対して時間変調及び空間変調の少なくとも一方を施してもよい。
【００６５】
また、上記実施の形態に係る表示方法の各ステップは、コンピュータ（コンピュータシステム）によって実行されてもよい。そして、本開示は、それらの方法に含まれるステップを、コンピュータに実行させるためのプログラムとして実現できる。さらに、本開示は、そのプログラムを記録したＣＤ−ＲＯＭ等である非一時的なコンピュータ読み取り可能な記録媒体として実現できる。
【００６６】
例えば、本開示が、プログラム（ソフトウェア）で実現される場合には、コンピュータのＣＰＵ、メモリ及び入出力回路等のハードウェア資源を利用してプログラムが実行されることによって、各ステップが実行される。つまり、ＣＰＵがデータをメモリ又は入出力回路等から取得して演算したり、演算結果をメモリ又は入出力回路等に出力したりすることによって、各ステップが実行される。このようなプログラムを実行するコンピュータとして、例えば、スマートフォン、タブレット型端末などを用いることができる。
【００６７】
また、上記実施の形態の表示装置１０に含まれる変調器２０は、専用又は汎用の回路として実現されてもよい。変調器２０は、１つの回路として実現されてもよいし、複数の回路として実現されてもよい。
【００６８】
また、上記実施の形態の変調器２０は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。変調器２０は、１チップ化されてもよい。ＬＳＩは、集積度の違いにより、システムＬＳＩ、スーパーＬＳＩ又はウルトラＬＳＩと呼称される場合がある。
【００６９】
また、集積回路はＬＳＩに限られず、専用回路又は汎用プロセッサで実現されてもよい。上述したように、プログラム可能なＦＰＧＡ、又は、ＬＳＩ内部の回路セルの接続及び設定が再構成可能なリコンフィギュラブル・プロセッサが、利用されてもよい。
【００７０】
さらに、半導体技術の進歩又は派生する別技術によりＬＳＩに置き換わる集積回路化の技術が登場すれば、当然、その技術を用いて、変調器２０の集積回路化が行われてもよい。
【産業上の利用可能性】
【００７１】
本開示は、表示装置に有用であり、特に、有機ＥＬ表示パネルを備える表示装置において特に有用である。
【符号の説明】
【００７２】
１０    表示装置
２０    変調器
３０    表示パネル
【図１】
2020126121.tif 000003
【図２】
2020126121.tif 000004
【図３】
2020126121.tif 000005
【図４】
2020126121.tif 000006
【図５】
2020126121.tif 000007
【図６】
2020126121.tif 000008
【図７】
2020126121.tif 000009
【図８】
2020126121.tif 000010